(57)【特許請求の範囲】
【請求項１】
酸素濃縮ガスを生成する生成手段と、
前記酸素濃縮ガスを導入口から導入し、加湿後、導出口から導出する加湿器と、
前記導出口から導出された前記酸素濃縮ガスを使用に供する供給手段と、
を備える酸素濃縮装置であって、
前記導入口及び前記導出口は、それぞれ、酸素濃縮装置本体側の導入側端部及び導出側端部と差込挿着により接続され、
前記導入口と前記導入側端部との前記差込挿着における差込方向、及び前記導出口と前記導出側端部との前記差込装着における差込方向は、前記加湿器側が低く、前記酸素濃縮装置本体側が高くなるように、同じ方向に同じ角度だけ傾斜していることを特徴とする酸素濃縮装置。
【請求項２】
前記導入口及び前記導出口を、それぞれ、前記導入側端部及び前記導出側端部に接続した際に、前記導入口、前記導出口、前記導入側端部及び前記導出側端部は、前記加湿器側が低く、前記酸素濃縮装置本体側が高くなるように傾斜していることを特徴とする請求項１記載の酸素濃縮装置。
【請求項３】
前記差込方向は、水平方向に対し５〜４５°傾斜していることを特徴とする請求項１又は２記載の酸素濃縮装置。
【請求項４】
前記加湿器の位置を検出することにより、前記差込挿着の異常を検出する検出手段を備えることを特徴とする請求項１〜３のいずれか１項に記載の酸素濃縮装置。
【請求項５】
前記導入口及び／又は前記導出口において前記差込挿着がなされた状態をロックするロック手段を備えることを特徴とする請求項１〜４のいずれか１項に記載の酸素濃縮装置。
【発明の詳細な説明】
【技術分野】
【０００１】
本発明は、例えば、酸素より窒素を優先的に吸着する吸着剤を用いて生成した高濃度の酸素（酸素濃縮ガス）を患者等に供給する圧力変動吸着型の酸素濃縮装置に関する。
【背景技術】
【０００２】
近年、呼吸器系疾患の最も効果的な治療法の一つとして、酸素吸入療法が知られている。この酸素吸入療法とは、酸素ガス或いは酸素濃縮ガスを患者に供給する方法であり、その供給源として、最近では、空気中から酸素濃縮ガスを直接分離できる酸素濃縮装置が開発されている。
【０００３】
かかる酸素濃縮装置としては、例えば窒素又は酸素を選択吸着して得られる吸着剤を用いた吸着型酸素濃縮装置が知られており、この吸着型酸素濃縮装置としては、コンプレッサを用いた圧力変動吸着型酸素濃縮装置が使用されている。
【０００４】
酸素濃縮装置は、酸素濃縮ガスに加湿するために、加湿装置を備える。この加湿装置は、導入口及び導出口を供えた容器であって、内部に水を保持することができる。導入口に、酸素濃縮装置本体側の導入口用ノズルを接続し、導出口に酸素濃縮装置本体側の導出口用ノズルを接続することで、酸素濃縮ガスを導入口から一旦加湿装置内に導入して加湿した後、導出口から酸素濃縮装置本体側に戻すことができる。
【０００５】
加湿装置内の水量が減少したときは、患者が加湿装置を酸素濃縮装置本体から取り外し、水を補給してから、再び酸素濃縮装置本体に取り付ける必要がある。この加湿装置の取り付けを容易にするため、加湿装置を奥側に押し込むことで取り付けが行える技術が提案されている（特許文献１、２参照）。
【先行技術文献】
【特許文献】
【０００６】
【特許文献１】特許第２８５７００５号公報
【特許文献２】特許第２７７３１００号公報
【発明の概要】
【発明が解決しようとする課題】
【０００７】
しかしながら、従来技術では、加湿器を取り外すことが困難であるという問題があった。酸素濃縮装置においては、導入口用ノズルや導出口用ノズルが加湿器から意図せず外れてしまうことがないように、導入口用ノズルや導出口用ノズルが加湿器に接続された状態でロックする機構が設けられる。加湿器を取り外すときは、加湿器を保持する手の指の一部でそのロックを外し、残りの指で加湿器を保持し、且つ引き出さなければならない。そのため、加湿器を取り外そうとしているときに加湿器を落としてしまったり、十分な力を加湿器に加えることができず、加湿器が外れないことがある。
【０００８】
本発明は以上の点に鑑みなされたものであり、加湿器の取り外しが容易な酸素濃縮装置を提供することを目的とする。
【課題を解決するための手段】
【０００９】
前記課題を解決するためになされた本発明は、酸素濃縮ガスを生成する生成手段と、前記酸素濃縮ガスを導入口から導入し、加湿後、導出口から導出する加湿器と、前記導出口から導出された前記酸素濃縮ガスを使用に供する供給手段と、を備える酸素濃縮装置であって、前記導入口及び前記導出口は、それぞれ、酸素濃縮装置本体側の導入側端部及び導出側端部と差込挿着により接続され、前記導入口と前記導入側端部との前記差込挿着における差込方向、及び前記導出口と前記導出側端部との前記差込装着における差込方向は、前記加湿器側が低く、前記酸素濃縮装置本体側が高くなるように、同じ方向に同じ角度だけ傾斜していることを特徴とする。
【００１０】
本発明では、導入口及び導入口の差込挿着における差込方向は、加湿器側が低く、酸素濃縮装置本体側が高くなるように傾斜しているから、加湿器を酸素濃縮装置本体から引き出すとき、加湿器は徐々に下方向に移動する。すなわち、加湿器を取り外すとき、加湿器には、その自重により、取り外し方向（酸素濃縮装置本体から離れる方向）への力が加わる。そのため、加湿器の取り外しが容易である。
【００１１】
また、導入口及び導入口の差込挿着における差込方向は、加湿器側が低く、酸素濃縮装置本体側が高くなるように傾斜しているから、加湿器に収容されている水が、酸素濃縮装置の本体側に流れ込んでしまうようなことが起こり難い。
【００１２】
本発明では、前記導入口及び前記導出口を、それぞれ、前記導入側端部及び前記導出側端部に接続した際に、前記導入口、前記導出口、前記導入側端部及び前記導出側端部が、前記加湿器側が低く、前記酸素濃縮装置本体側が高くなるように傾斜していることが好ましい。こうすることにより、前記差込方向を、加湿器側が低く、酸素濃縮装置本体側が高くなるように傾斜させることができる。
【００１３】
本発明において、前記差込方向は、水平方向に対し５〜４５°傾斜していることが好ましい。５°以上であることにより、上述した効果が十分に高くなる。また、４５°以下であることにより、加湿器を装置本体側に取り付けるとき、加湿器を水平方向に押し込むだけで、導入口と導入側端部との接続、及び導出口と導出側端部との接続をスムーズに行うことができる。
【００１４】
本発明の酸素濃縮装置は、加湿器の位置を検出することにより、差込挿着の異常を検出する検出手段を備えることが好ましい。そのことにより、加湿器が正しく装着されているか否かを容易に確認することができる。
【００１５】
また、本発明の酸素濃縮装置は、導入口に導入側端部が差込挿着された状態をロックするロック手段、導出口に導出側端部が差込挿着された状態をロックするロック手段、又はその両方を備えることが好ましい。こうすることで、導入口又は導出口における差込挿着が意図せず外れてしまうようなことがない。
【００１６】
なお、ロック手段が存在する場合、従来技術では、加湿器を保持する手の指の一部でそのロックを外し、残りの指で加湿器を保持し、且つ引き出さなければならないため、加湿器の取り外しが困難であったが、本発明によれば、上述したように、加湿器に対し、その自重により、取り外し方向への力が加わるため、加湿器の取り外しが容易である。
【００１７】
前記差込方向とは、導入口と導入側端部との差込装着における軸方向である。また、前記差込方向とは、導出口と導出側端部との差込装着における軸方向である。
前記酸素濃縮装置本体とは、酸素濃縮装置のうち、加湿器以外の部分を意味し、例えば、導入口用ノズルや導出口用ノズルが設けられた部分を意味する。
【図面の簡単な説明】
【００１８】
【図１】酸素濃縮装置１の基本構成を表す説明図である。
【図２】酸素濃縮装置１の制御系を表す説明図である。
【図３】酸素濃縮装置１の斜視図である。
【図４】加湿器４９の斜視図である。
【図５】加湿器４９の側面図である。
【図６】加湿器４９の上面図であり、（ａ）は導入口用ノズル１２５が接続していない状態を表し、（ｂ）は導入口用ノズル１２５が接続している状態を表す。
【図７】導入口１２１ｃを通る断面での、加湿器４９及びその周辺の側断面図である。
【図８】導出口１２３ｃを通る断面での、加湿器４９及びその周辺の側断面図であり、（ａ）は導出口用ノズル１２７が接続していない状態を表し、（ｂ）は導出口用ノズル１２７が接続している状態を表す。
【図９】別形態の酸素濃縮装置１の基本構成を表す説明図である。
【発明を実施するための形態】
【００１９】
本発明の実施形態を図面に基づき説明する。本実施形態では、空気中から窒素吸着剤（以下吸着剤とする）を用いて窒素を吸着して除去することにより酸素を濃縮し、この高濃度の酸素を含む酸素濃縮ガスを患者に対して供給する圧力変動吸着型の医療用酸素濃縮装置（以下、酸素濃縮装置１とする）を例に挙げる。
【００２０】
１．酸素濃縮装置１の概略構成
酸素濃縮装置１の概略構成を図１に基づいて説明する。図１に示す様に、酸素濃縮装置１において、空気取入口３及び防塵フィルタ５を介して周囲の空気が導入され、導入された空気は、吸気フィルタ７及び吸気マフラ９を介してコンプレッサ１１に吸入される。
【００２１】
コンプレッサ１１は、モータ１３の回転により、吸入空気を圧縮して高圧空気を生成する。モータ１３は、インバータ１４に接続されており、そのインバータ１４は図示しない商用電源に接続されている。インバータ１４は、後述する電子制御装置７７から出力される制御値に応じて、モータ１３の回転数を制御する。また、インバータ１４は、モータ１３の回転数を検出し、その検出結果を電子制御装置７７に送信する。
【００２２】
コンプレッサ１１により生成された高圧空気は、チェック弁１５、１７、供給弁（第１供給弁１９、第２供給弁２１）を介して、一対の吸着筒（第１吸着筒２３、第２吸着筒２５）に供給される。
【００２３】
供給弁１９、２１から吸着筒２３、２５に至る高圧空気の供給経路には、それぞれ排気弁（第１排気弁２７、第２排気弁２９）が接続されており、排気弁２７、２９の開弁時には、各吸着筒２３、２５を大気に開放できる。
【００２４】
吸着筒２３、２５には、空気中の窒素を優先的に吸着して酸素を分離するゼオライト系の吸着剤が充填されている。そして、排気弁２７、２９が閉弁状態にあるとき、チェック弁１５、１７及び供給弁１９、２１を介して、コンプレッサ１１から高圧空気が供給されると、その空気中から窒素を吸着して酸素濃縮ガスを生成し、酸素濃縮ガスを、チェック弁３１、３３を介して製品タンク３５側に送出する。
【００２５】
なお、吸着筒２３、２５からチェック弁３１、３３に至る酸素濃縮ガスの吐出経路には、両吸着筒２３、２５の吐出側を連通する連通路３７が設けられ、その連通路３７には、オリフィス３９、４１を介して電磁弁からなるパージ弁４３が設けられている。
【００２６】
また、製品タンク３５の下流側には、酸素濃縮ガスの圧力を調節する圧力調整器４５が設けられ、圧力調整器４５で調圧された酸素濃縮ガスは、流量設定器４７によって流量が設定された後に、加湿器４９まで送られ、加湿器４９にて加湿された後、排出口５１を介して、外部に排出される。なお、加湿器４９及びその周辺の構成については後に詳述する。
【００２７】
更に、酸素濃縮ガスの排出経路には、酸素濃縮ガスの酸素濃度を検出する酸素センサ５３が設けられている。
また、酸素濃縮装置１は、各部を制御する電子制御装置７７を備えている。電子制御装置７７の動作については後述する。
【００２８】
２．酸素濃縮装置１の制御系
酸素濃縮装置１の制御系を、図２に基づいて説明する。酸素濃縮装置１は、流量設定器４７における流量設定を検出するポテンショメータ１０１、酸素濃縮ガスの流量を検出する流量センサ１０３、上述した酸素センサ５３、酸素濃縮装置１の雰囲気温度を検出する温度センサ１０７、コンプレッサ１１の圧力を検出する圧力センサ１０９、加湿器４９が正しく装着されていない場合に報知を行うための接触センサ１１０、及び電子制御装置７７を備える。
【００２９】
電子制御装置７７は、入力部７８、出力部７９、周知のマイクロコンピュータ（マイコン）８０、各種のデータを記憶するメモリ（例えばＥＥＰＲＯＭ）８１を備えている。ポテンショメータ１０１、流量センサ１０３、酸素センサ５３、温度センサ１０７、圧力センサ１０９、インバータ１４、及び接触センサ１１０（以下、これらをセンサ類と総称する）の出力は、電子制御装置７７の入力部７８に送られる。なお、インバータ１４の出力は、上述したように、モータ１３の回転数信号である。
【００３０】
電子制御装置７７のマイコン８０は、センサ類から入力した結果に基づき、供給弁１９、２１、排気弁２７、２９、パージ弁４３、コンプレッサ１１等を制御する。制御信号は、出力部７９を介して、供給弁１９、２１、排気弁２７、２９、パージ弁４３、コンプレッサ１１に出力される。供給弁１９、２１、排気弁２７、２９、パージ弁４３、コンプレッサ１１の制御は、周知のものと同様である。また、接触センサ１１０からの信号に基づき、報知ランプ１１２を点灯させる。なお、接触センサ１１０及び報知ランプ１１２の作用効果については後述する。
【００３１】
なお、上記のコンプレッサ１１、及び吸着筒２３、２５が請求項１における生成手段に該当する。また、排出口５１が請求項１における供給手段に該当する。
３．加湿器４９及びその周辺の構成
加湿器４９及びその周辺の構成を図３〜図８に基づいて説明する。なお、図３は、酸素濃縮装置１の斜視図である。図４は、加湿器４９の斜視図である。図５は、加湿器４９の側面図である。図６は加湿器４９の上面図であり、（ａ）は導入口用ノズル１２５が接続していない状態を表し、（ｂ）は導入口用ノズル１２５が接続している状態を表す。図７は導入口１２１ｃを通る断面での、加湿器４９及びその周辺の側断面図である。図８は、導出口１２３ｃを通る断面での、加湿器４９及びその周辺の側断面図であり、（ａ）は導出口用ノズル１２７が接続していない状態を表し、（ｂ）は導出口用ノズル１２７が接続している状態を表す。
【００３２】
酸素濃縮装置１は、図３に示すように、その筐体１１１の正面に、周囲よりも奥側に入り込んだ加湿器収容部１１３を備える。加湿器４９は、酸素濃縮装置１の本体側と接続したとき、加湿器収容部１１３に収容される。
【００３３】
加湿器４９は、図４及び図５に示すように、上方が開口部となった容器である本体部１１５と、図示しないシール部材を介して本体部１１５の開口部にネジ又はワンタッチ構造で接合される蓋部１１７と、蓋部１１７の上側に設けられた接続部材１１９とから構成される。本体部１１５内に、酸素濃縮ガスを加湿するための水を保持することができる。
【００３４】
蓋部１１７及び接続部材１１９には、外部と本体部１１５の内部とを連通する導入通路１２１及び導出通路１２３がそれぞれ形成されている。導入通路１２１は略Ｌ字型の経路を有しており、導入通路１２１のうち、Ｌ字の屈曲部１２１ａから開口端１２１ｂまでの区間（導入口１２１ｃとする）は、後述する導入口用ノズル（導入側端部）１２５との接続（差込装着）に用いられる。導入口１２１ｃは円筒形状を有しており、その軸Ｌ1（図５参照）の方向（すなわち、導入口用ノズル１２５を差し込む差込方向）は、開口端１２１ｂの側が高く、屈曲部１２１ａの側が低くなるように傾斜している（加湿器４９側が低く、導入口用ノズル１２５側が高くなるように傾斜している）。軸Ｌ1と水平方向との成す角度は５°である。なお、この角度は、５〜４５°の範囲内で適宜設定できる。
【００３５】
図６（ａ）、（ｂ）に示すように、接続部材１１９において、導入通路１２１の側には、周知のクイックカップリング方式によるロック機構（ロック手段）１２４が設けられている。ロック機構１２４は、導入通路１２１の内部に設けられた可動片１２４ａと、導入通路１２１の外側に設けられ、スライド操作可能な操作片１２４ｂとを備える。操作片１２４ｂを一方にスライドさせると、可動片１２４ａは、図６（ａ）に示すように、外側に逃げ、操作片１２４ｂを前記一方とは反対方向にスライドさせると、可動片１２４ａは、図６（ｂ）に示すように、内側に突出する。
【００３６】
また、図４に示すように、導出通路１２３は略Ｌ字型の経路を有しており、導出通路１２３のうち、Ｌ字の屈曲部１２３ａから開口端１２３ｂまでの区間（導出口１２３ｃとする）は、後述する導出口用ノズル（導出側端部）１２７との接続（差込装着）に用いられる。導出口１２３ｃは円筒形状を有しており、その軸Ｌ2の方向（すなわち、導出口用ノズル１２７を差し込む差込方向）は、開口端１２３ｂの側が高く、屈曲部１２３ａの側が低くなるように傾斜している（加湿器４９側が低く、導出口用ノズル１２７側が高くなるように傾斜している）。軸Ｌ2と水平方向との成す角度は５°である。なお、この角度は、５〜４５°の範囲内で適宜設定できる。
【００３７】
図７に示すように、加湿器収容部１１３の奥側には、導入口用ノズル１２５が設けられている。この導入口用ノズル１２５には、流量設定器４７（図１参照）によって流量が設定された酸素濃縮ガスが供給される。導入口用ノズル１２５の軸Ｌ3の方向は、先端側（図７において左側）が低く、奥側が高くなるように傾斜している。軸Ｌ3と水平方向との成す角度は５°である。なお、この角度は、５〜４５°の範囲内で適宜設定できる。
【００３８】
加湿器４９を加湿器収容部１１３に取り付けたとき、導入口用ノズル１２５は、導入口１２１ｃに差し込まれる。上述したロック機構１２４は、導入口用ノズル１２５を導入口１２１ｃに差し込んだ状態でロックするために用いられる。すなわち、図６（ａ）に示すように、可動片１２４ａが外側に逃げた状態で、導入口１２１ｃに導入口用ノズル１２５を差込み、その後、可動片１２４ａを内側に突出させる。すると、図６（ｂ）に示すように、可動片１２４ａが導入口用ノズル１２５の外周に設けられた溝部１２５ａに嵌入し、導入口用ノズル１２５が導入口１２１ｃに差し込まれた状態でロックされる。
【００３９】
また、図８（ａ）、（ｂ）に示すように、加湿器収容部１１３の奥側には、導出口用ノズル１２７が設けられている。この導出口用ノズル１２７の位置は、導入口用ノズル１２５と同じ高さであって、左右方向において導入口用ノズル１２５から所定の距離をおいた位置である。導出口用ノズル１２７は、排出口５１（図１参照）に連通している。図８（ｂ）に示すように、導出口用ノズル１２７の軸Ｌ4の方向は、先端側（図８（ｂ）において左側）が低く、奥側が高くなるように傾斜している。軸Ｌ4と水平方向との成す角度は５°である。なお、この角度は、５〜４５°の範囲内で適宜設定できる。図８（ｂ）に示すように、加湿器４９を加湿器収容部１１３に取り付けたとき、導出口用ノズル１２７は、導出口１２３ｃに差し込まれる。
【００４０】
また、加湿器収容部１１３の底面における奥側には、上述した接触センサ（検出手段）１１０（図２、図７、図８参照）が設けられている。接触センサ１１０は、加湿器４９が正常に装着されているときのみ、加湿器４９の底面における奥側に接触して、信号を出力する。加湿器４９が正常に装着されていないとき（例えば加湿器４９が十分に奥まで押し込まれていないとき等）は、接触センサ１１０は加湿器４９に接触せず、信号を出力しない。酸素濃縮装置１の報知ランプ１１２（図２参照）は、接触センサ１１０からの信号入力があるときは正常の表示を行い、接触センサ１１０からの信号入力がないときは異常の表示を行う。
【００４１】
加湿器４９が正常に装着された状態において、導入口用ノズル１２５から導入口１２１ｃに導入された酸素濃縮ガスは、本体部１１５に入り、そこで水と接触して加湿される。加湿された酸素濃縮ガスは、導出口１２３ｃから導出口用ノズル１２７に入り、さらに、排出口５１（図１参照）に送られる。
【００４２】
４．加湿器４９の取り付け／取り外し方法
（１）まず、加湿器４９の取り付け方法を図７、図８（ａ）、（ｂ）に基づいて説明する。図８（ａ）に示すように、加湿器４９を、加湿器収容部１１３の底面に乗せ、奥側へ押し込んでゆく。このとき、加湿器４９に加える力の方向は水平方向でよい。すると、導出口１２３ｃに、導出口用ノズル１２７の先端が入り込む。また、同様に、導入口１２１ｃに、導入口用ノズル１２５の先端が入り込む。
【００４３】
さらに加湿器４９を奥側に押し込むと、図８（ｂ）に示すように、導出口用ノズル１２７のうち、差し込み可能な部分の全体が導出口１２３ｃに差し込まれる。また、図７に示すように、導入口用ノズル１２５のうち、差し込み可能な部分の全体が導入口１２１ｃに差し込まれる。ここで、上述したように、導入口１２１ｃの軸Ｌ1、導出口１２３ｃの軸Ｌ2、導入口用ノズル１２５の軸Ｌ3、及び導出口用ノズル１２７の軸Ｌ4は、全て同じ方向（図７、図８において、左側では低く、右側では高い方向）に、且つ同じ角度だけ傾いているので、加湿器４９を奥側に押し込むとき、加湿器４９自体が傾くことはなく、加湿器４９は奥に進むにつれて、徐々に上方向に移動してゆく。
【００４４】
導入口用ノズル１２５を奥まで挿入した後、ロック機構１２４の操作片１２４ｂをスライドさせて、可動片１２４ａを内側に突出させる。このとき、可動片１２４ａは溝部１２５ａに嵌入して、導入口用ノズル１２５をロックする。
（２）次に、加湿器４９の取り外し方法を説明する。まず、ロック機構１２４の操作片１２４ｂを、ロックをかける場合とは逆にスライドさせて、可動片１２４ａを外側に逃がし（図６（ａ）参照）、導入口用ノズル１２５に対するロックを解除する。その後、加湿器４９を手前側に引き出してゆく。このとき、上述したように、導入口１２１ｃの軸Ｌ1、導出口１２３ｃの軸Ｌ2、導入口用ノズル１２５の軸Ｌ3、及び導出口用ノズル１２７の軸Ｌ4は、全て同じ方向（図７、図８において、左側では低く、右側では高い方向）に、且つ同じ角度だけ傾いているので、加湿器４９自体が傾くことはなく、加湿器４９は手前側に進むにつれて、徐々に下方向に移動してゆく。やがて、導入口用ノズル１２５が導入口１２１ｃから完全に外れるとともに、導出口用ノズル１２７が導出口１２３ｃから完全に外れ、加湿器４９が取り外される。
【００４５】
５．酸素濃縮装置１が奏する効果
（１）上述したように、加湿器４９は、手前側に引き出されるにつれて、徐々に下方向に移動するため、加湿器４９を取り外すとき、加湿器４９には、その自重により、取り外し方向（手前側に引き出される方向）への力が加わる。そのため、加湿器４９の取り外しが容易である。
【００４６】
なお、加湿器４９を取り外すときは、加湿器４９を保持する手の指の一部を、ロック機構１２４の操作片１２４ｂを操作するために用いなければならないので、加湿器４９を保持し、手前に引き出す操作は、残りの指で行わなければならない。そのため、従来は、加湿器４９を落としたりせず、手前に引き出すことは困難であったが、本発明では、上述したように、加湿器４９は小さい力で手前側に引き出せるので、加湿器４９の取り外しが容易である。
（２）導入口１２１ｃの軸Ｌ1、導出口１２３ｃの軸Ｌ2、導入口用ノズル１２５の軸Ｌ3、及び導出口用ノズル１２７の軸Ｌ4は、全て、加湿器４９側が低く、酸素濃縮装置１の本体側が高くなっている。そのため、加湿器４９に収容されている水が、酸素濃縮装置１の本体側に流れ込んでしまうようなことが起こり難い。
（３）酸素濃縮装置１は、接触センサ１１０と報知ランプ１１２とにより、加湿器４９が正しく装着されていない場合は、その旨を報知することができる。
【００４７】
尚、本発明は前記実施形態になんら限定されるものではなく、本発明の要旨を逸脱しない範囲において種々の態様で実施しうることはいうまでもない。
例えば、加湿器収容部１１３に、接触センサ１１０の代わりに、赤外線センサ等を設け、加湿器４９が正しく装着されているか否かを判断してもよい。
【００４８】
また、図７、図８において、接触センサ１１０は、加湿器収容部１１３の底面における奥側に設けられているが、接触センサ１１０の位置は、加湿器４９の装着を検出できる位置であれば特に制限されない。例えば、接触センサ１１０を、加湿器収容部１１３の底面における手前側、または中心等に設けることができる。
【００４９】
導入口１２１ｃの軸Ｌ1、導出口１２３ｃの軸Ｌ2、導入口用ノズル１２５の軸Ｌ3、及び導出口用ノズル１２７の軸Ｌ4が水平方向と成す角度は、５°以外の角度であってもよい。この角度は、５〜４５°の範囲で適宜設定することができる。
【００５０】
また、酸素濃縮装置１の構成は、図１に示すものの代わりに、図９に示すものであってもよい。図９に示す構成は、図１に示すものと基本的には同様であるが、チェック弁１５、１７、第１供給弁１９、第２供給弁２１の代わりに、三方弁２０１、２０３を備えている。コンプレッサ１１により生成された高圧空気は、三方弁２０１、２０３を介して、第１吸着筒２３、第２吸着筒２５に供給される。この三方弁２０１、２０３は、排気経路２０５にも接続している。三方弁２０１、２０３が排気経路２０５に対して閉じているとき、三方弁２０１、２０３を介して、コンプレッサ１１から吸着筒２３、２５に高圧空気が供給されると、その空気中から窒素を吸着して酸素濃縮ガスを生成し、酸素濃縮ガスを、チェック弁３１、３３を介して製品タンク３５側に送出する。また、三方弁２０１、２０３が排気経路２０５に対して開いているとき、各吸着筒２３、２５は大気に開放される。三方弁２０１、２０３は、電子制御装置７７により制御される。
【符号の説明】
【００５１】
１・・・酸素濃縮装置、３・・・空気取入口、５・・・及び防塵フィルタ、
７・・・吸気フィルタ、９・・・吸気マフラ、１１・・・コンプレッサ、
１３・・・モータ、１４・・・インバータ、１５、１７・・・チェック弁、
１９・・・第１供給弁、２１・・・第２供給弁、２３・・・第１吸着筒、
２５・・・第２吸着筒、２７・・・第１排気弁、２９・・・第２排気弁、
３１・・・チェック弁、３５・・・製品タンク、３７・・・連通路、
３９・・・オリフィス、４３・・・パージ弁、４５・・・圧力調整器、
４７・・・流量設定器、４９・・・加湿器、５１・・・排出口、５３・・・酸素センサ、
７７・・・電子制御装置、７８・・・入力部、７９・・・出力部、８０・・・マイコン、
８１・・・メモリ、１０１・・・ポテンショメータ、１０３・・・流量センサ、
１０７・・・温度センサ、１０９・・・圧力センサ、１１０・・・接触センサ、
１１１・・・筐体、１１２・・・報知ランプ、１１３・・・加湿器収容部、
１１５・・・本体部、１１７・・・蓋部、１１９・・・接続部材、
１２１・・・導入通路、１２１ａ・・・屈曲部、１２１ｂ・・・開口端、
１２１ｃ・・・導入口、１２３・・・導出通路、１２３ａ・・・屈曲部、
１２３ｂ・・・開口端、１２３ｃ・・・導出口、１２４・・・ロック機構、
１２４ａ・・・可動片、１２４ｂ・・・操作片、１２５・・・導入口用ノズル、
１２５ａ・・・溝部、１２７・・・導出口用ノズル、２０１、２０３・・・三方弁、
２０５・・・排気経路
【図１】
0005646887.tif 000002
【図２】
0005646887.tif 000003
【図３】
0005646887.tif 000004
【図４】
0005646887.tif 000005
【図５】
0005646887.tif 000006
【図６】
0005646887.tif 000007
【図７】
0005646887.tif 000008
【図８】
0005646887.tif 000009
【図９】
0005646887.tif 000010